(57)【要約】【課題】各種電子機器に用いられるタッチパネルに関し、背面の表示素子の表示が見易く、確実な操作が可能なものを提供することを目的とする。【解決手段】上基板１下面に形成された上導電層８または下基板２上面に形成された下導電層７の少なくとも一方を、導電性の樹脂で形成すると共に、この対向面に可視光の波長よりも小さな間隔の複数の凹凸部７Ａや８Ａを設けることによって、上導電層８や下導電層７の対向面には可視光の波長よりも小さな間隔の凹凸部７Ａや８Ａが形成され、光の反射が非常に小さくなっているため、太陽光や電灯等の外部光の反射が低減されて、背面の表示素子の表示が見易く、確実な操作が可能なタッチパネルを得ることができる。【選択図】図１
2014191694.tif 000002
【特許請求の範囲】
【請求項１】
下面に上導電層が形成された上基板と、上面に上記上導電層と所定の間隙を空けて対向する下導電層が形成された下基板からなり、上記上導電層または下導電層の少なくとも一方を導電性の樹脂で形成すると共に、この対向面に可視光の波長よりも小さな間隔の複数の凹凸部を設けたタッチパネル。
【発明の詳細な説明】
【技術分野】
【０００１】
本発明は、主に各種電子機器の操作に用いられるタッチパネルに関するものである。
【背景技術】
【０００２】
近年、携帯電話や電子カメラ等の各種電子機器の高機能化や多様化が進むなか、液晶表示素子等の表示素子の前面に光透過性のタッチパネルを装着し、このタッチパネルを通して背面の表示素子の表示を見ながら、指やペン等でタッチパネルに触れ操作することによって、機器の様々な機能の切換えを行うものが増えており、背面の表示素子の表示が見易く、確実な操作の可能なものが求められている。
【０００３】
このような従来のタッチパネルについて、図４を用いて説明する。
【０００４】
なお、この図面は構成を判り易くするために、部分的に寸法を拡大して表している。
【０００５】
図４は従来のタッチパネルの断面図であり、同図において、１はフィルム状または板状で光透過性の上基板、２は同じく光透過性の下基板で、上基板１の下面には酸化インジウム錫等の光透過性の上導電層３が、下基板２の上面には同じく下導電層４が各々形成されている。
【０００６】
また、下導電層４上面には絶縁樹脂によって、複数のドットスペーサ（図示せず）が所定間隔で形成されると共に、上導電層３の左右端には銀やカーボン等の一対の上電極（図示せず）が、下導電層４の上導電層３とは直交方向の前後端には、一対の下電極（図示せず）が各々形成され、この上電極や下電極の端部が、上基板１や下基板２の外周前端に各々延出している。
【０００７】
さらに、５は上基板１と下基板２間の外周内縁に形成された略額縁状のスペーサで、このスペーサ５の上下面または片面に塗布形成された接着剤（図示せず）によって、上基板１と下基板２の外周が貼り合わされ、上導電層３と下導電層４が所定の間隙を空けて対向して、タッチパネルが構成されている。
【０００８】
そして、このように構成されたタッチパネルが、液晶表示素子等の表示素子の前面に配置されて電子機器に装着されると共に、外周前端に延出した一対の上電極と下電極がフレキシブル配線板やコネクタ（図示せず）等を介して、機器の電子回路（図示せず）に電気的に接続される。
【０００９】
以上の構成において、タッチパネルを通して背面の表示素子の表示を見ながら、所望の表示上の上基板１上面を指やペン等で押圧操作すると、上基板１が撓み、押圧された箇所の上導電層３が下導電層４に接触する。
【００１０】
そして、電子回路から一対の上電極と下電極へ順次電圧が印加され、上導電層３両端及びこれと直交方向の下導電層４両端の電圧比によって、押圧された箇所を電子回路が検出し、機器の様々な機能の切換えが行なわれる。
【００１１】
つまり、タッチパネル背面の表示素子に、例えば複数のメニュー等が表示された状態で、所望のメニュー上の上基板１上面を押圧操作すると、上導電層３や下導電層４の電圧比によって、この操作した位置を電子回路が検出し、複数のメニューの中から所望のメニューの選択等が行われるように構成されているものであった。
【００１２】
なお、この出願の発明に関連する先行技術文献情報としては、例えば、特許文献１が知られている。
【先行技術文献】
【特許文献】
【００１３】
【特許文献１】特開２０１２−５９１９１号公報
【発明の概要】
【発明が解決しようとする課題】
【００１４】
しかしながら、上記従来のタッチパネルにおいては、タッチパネルを液晶表示素子等の表示素子の前面に配置した際、上基板１上方や間隙内の空気の屈折率が１に対し、上導電層３や下導電層４の屈折率は１．８〜２と、屈折率の差が大きなものとなっているため、上方から上基板１や間隙内に入射した太陽光や電灯等の外部光が、上導電層３や下導電層４上面で反射して、この反射光によって背面の表示素子の表示が見えづらいものになってしまう場合があるという課題があった。
【００１５】
本発明は、このような従来の課題を解決するものであり、背面の表示素子の表示が見易く、確実な操作が可能なタッチパネルを提供することを目的とする。
【課題を解決するための手段】
【００１６】
上記目的を達成するために本発明は、上基板下面に形成された上導電層または下基板上面に形成された下導電層の少なくとも一方を、導電性の樹脂で形成すると共に、この対向面に可視光の波長よりも小さな間隔の複数の凹凸部を設けてタッチパネルを構成したものであり、上導電層や下導電層の対向面には可視光の波長よりも小さな間隔の凹凸部が形成され、光の反射が非常に小さくなっているため、太陽光や電灯等の外部光の反射が低減されて、背面の表示素子の表示が見易く、確実な操作が可能なタッチパネルを得ることができるという作用を有するものである。
【発明の効果】
【００１７】
以上のように本発明によれば、背面の表示素子の表示が見易く、確実な操作が可能なタッチパネルを実現することができるという有利な効果が得られる。
【図面の簡単な説明】
【００１８】
【図１】本発明の一実施の形態によるタッチパネルの断面図
【図２】同部分断面図
【図３】同断面図
【図４】従来のタッチパネルの断面図
【発明を実施するための形態】
【００１９】
以下、本発明の実施の形態について、図１〜図３を用いて説明する。
【００２０】
なお、これらの図面は構成を判り易くするために、部分的に寸法を拡大して表している。
【００２１】
また、背景技術の項で説明した構成と同一構成の部分には同一符号を付して、詳細な説明を簡略化する。
【００２２】
（実施の形態）
図１は本発明の一実施の形態によるタッチパネルの断面図であり、同図において、１はポリエチレンテレフタレ−トやポリエーテルサルホン、ポリカーボネート等のフィルム状、またはガラスやアクリル等の板状で光透過性の上基板、２は同じくフィルム状または板状で光透過性の下基板で、上基板１の下面には酸化インジウム錫や酸化錫等の略矩形状で光透過性の上導電層３が、スパッタ法等によって形成されている。
【００２３】
そして、下基板２の上面には、複数の銀細線や中空状のカーボン細線、カーボン粒子等が分散されたアクリレートやメタクリレート、またはポリチオフェンやポリアニリン等の光透過性の導電性の樹脂製で、上導電層３との対向面である上面に、高さが０．１〜０．５μｍ前後で、直径が０．０５〜０．３μｍ前後の複数の凹凸部７Ａが、可視光の波長０．４〜０．８μｍ前後よりも小さな、０．１〜０．５μｍ前後の間隔で形成された下導電層７が設けられている。
【００２４】
また、下導電層７上面にはエポキシやシリコーン等の絶縁樹脂によって、複数のドットスペーサ（図示せず）が所定間隔で形成されると共に、上導電層３の左右端には銀やカーボン等の一対の上電極（図示せず）が、下導電層７の上導電層３とは直交方向の前後端には、一対の下電極（図示せず）が各々形成され、この上電極や下電極の端部が、上基板１や下基板２の外周前端に各々延出している。
【００２５】
さらに、５は略額縁状でポリエステルやエポキシ、不織布等のスペーサで、上基板１と下基板２間の外周内縁に形成されると共に、このスペーサ５の上下面または片面に塗布形成されたアクリルやゴム等の接着剤（図示せず）によって、上基板１と下基板２の外周が貼り合わされ、上導電層３と下導電層７が所定の間隙を空けて対向して、タッチパネルが構成されている。
【００２６】
また、このような下基板２上面の下導電層７を製作するには、図２（ａ）の部分断面図に示すように、下基板２の上面全面に形成された導電性の樹脂薄膜７Ｂの上面を、図２（ｂ）に示すように、下面に複数の凹凸部１０Ａが形成されたプレス型１０で、温度１００〜１５０度前後で加熱しながら加圧することで、図２（ｃ）に示すような、上面に複数の凹凸部７Ａが設けられた下導電層７を形成することができる。
【００２７】
つまり、下導電層７を酸化インジウム錫や酸化錫等の金属薄膜ではなく、導電性の樹脂で形成することで、上記のようなプレス加工等の簡易な方法によって、下導電層７上面に複数の凹凸部７Ａを設けることが可能なようになっている。
【００２８】
そして、このように構成されたタッチパネルが、液晶表示素子等の表示素子の前面に配置されて電子機器に装着されると共に、外周前端に延出した一対の上電極と下電極がフレキシブル配線板やコネクタ（図示せず）等を介して、機器の電子回路（図示せず）に電気的に接続される。
【００２９】
以上の構成において、タッチパネルを通して背面の表示素子の表示を見ながら、所望の表示上の上基板１上面を指やペン等で押圧操作すると、上基板１が撓み、押圧された箇所の上導電層３が下導電層７に接触する。
【００３０】
そして、電子回路から一対の上電極と下電極へ順次電圧が印加され、上導電層３両端及びこれと直交方向の下導電層７両端の電圧比によって、押圧された箇所を電子回路が検出し、機器の様々な機能の切換えが行なわれる。
【００３１】
つまり、タッチパネル背面の表示素子に、例えば複数のメニュー等が表示された状態で、所望のメニュー上の上基板１上面を押圧操作すると、上導電層３や下導電層７の電圧比によって、この操作した位置を電子回路が検出し、複数のメニューの中から所望のメニューの選択等が行われるように構成されている。
【００３２】
そして、この時、本発明においては、下基板２上面に形成された下導電層７の上面には、可視光の波長よりも小さな間隔の複数の凹凸部７Ａが設けられ、下導電層７での光の反射が非常に小さくなっているため、上方から上基板１や間隙内に入射した太陽光や電灯等の外部光が、下導電層７で反射することを防ぎ、タッチパネル背面の表示素子の表示が見易くなるようになっている。
【００３３】
すなわち、間隙内の空気と酸化インジウム錫や酸化錫等の金属薄膜の界面では、屈折率が急激に変化するため外部光の反射が生じるが、可視光の波長よりも小さな間隔に形成された複数の凹凸部７Ａ内では、屈折率が緩やかに変化するため、下導電層７での外部光の反射が非常に小さくなり、背面の表示素子の表示が見易くなって、誤操作等のない確実な操作が行えるように構成されている。
【００３４】
なお、以上の説明では、下基板２上面の下導電層７上面にのみ、可視光の波長よりも小さな間隔の複数の凹凸部７Ａを設けた構成について説明したが、図３の断面図に示すように、上基板１下面の上導電層８下面にも、可視光の波長よりも小さな間隔の複数の凹凸部８Ａを設け、これによって上導電層８の反射を低減した構成や、あるいは、上導電層８下面にのみ複数の凹凸部８Ａを形成した構成としても、本発明の実施は可能である。
【００３５】
また、下導電層７上面にも上導電層８下面にも複数の凹凸部７Ａや８Ａを設けた場合には、同図に示すように、凹凸部７Ａと８Ａの間隔を異なるものに形成したり、あるいは一方を上下にうねった形状に形成したりすることで、上基板１上面を押圧操作し、上基板１が撓んで上導電層８が下導電層７に接触した際の噛み込み等を防ぎ、より確実な操作が可能となる。
【００３６】
そして、本発明においては、下導電層７や上導電層８を酸化インジウム錫や酸化錫等の金属薄膜ではなく、導電性の樹脂で形成することで、プレス加工等の簡易な方法によって、下導電層７上面や上導電層８下面に、複数の凹凸部７Ａや８Ａを容易に形成することが可能なようになっている。
【００３７】
さらに、下導電層７や上導電層８を屈折率が１．５前後の、下基板２や上基板１と同等の導電性の樹脂で形成することによって、下導電層７と下基板２、上導電層８と上基板１の界面での外部光の反射をも大幅に減らし、背面の表示素子の表示をより見易くできるように構成されている。
【００３８】
このように本実施の形態によれば、上基板１下面に形成された上導電層８、または下基板２上面に形成された下導電層７の少なくとも一方を、導電性の樹脂で形成すると共に、この対向面である下導電層７上面や上導電層８下面に、可視光の波長よりも小さな間隔の複数の凹凸部７Ａや８Ａを設けることによって、上導電層８や下導電層７の対向面には可視光の波長よりも小さな間隔の凹凸部７Ａや８Ａが形成され、光の反射が非常に小さくなっているため、太陽光や電灯等の外部光の反射が低減されて、背面の表示素子の表示が見易く、確実な操作が可能なタッチパネルを得ることができるものである。
【産業上の利用可能性】
【００３９】
本発明によるタッチパネルは、背面の表示素子の表示が見易く、確実な操作が可能なものを得ることができるという有利な効果を有し、主に各種電子機器の操作用として有用である。
【符号の説明】
【００４０】
１  上基板
２  下基板
３  上導電層
５  スペーサ
７  下導電層
７Ａ、８Ａ  凹凸部
８  上導電層
１０  プレス型
１０Ａ  凹凸部
【図１】
2014191694.tif 000003
【図２】
2014191694.tif 000004
【図３】
2014191694.tif 000005
【図４】
2014191694.tif 000006